(57)【要約】【課題】書類の検索を容易にするとともに、書類の整理整頓を実現した資料保持装置を提供すること。【解決手段】資料保持装置１０は、書類１４またはファイルやケース体を配置の側部に形成された孔部１４ａに遊嵌するリング１３と、ノートパソコン１における液晶表示装置を備える上部筐体２の背面に設けられ、リング１３を遊嵌した状態で書類１４またはファイルやケース体を回動可能に支持するＬ字シャフト１１とを備えており、必要に応じて書類１４またはファイルやケース体を回動させることにより、書類１４の内容が視認可能となる。【選択図】図１
2010198268.tif 000002
【特許請求の範囲】
【請求項１】
書類または書類保持体の側部に形成された孔部に遊嵌する環状部材と、
携帯型情報処理装置における画像表示手段を備える筐体の背面に設けられ、前記環状部材を遊嵌した状態で前記書類または書類保持体を回動可能に支持する軸部材とを備えたことを特徴とする資料保持装置。
【請求項２】
前記軸部材は、Ｌ字型の棒状部材からなり、
前記棒状部材においてＬ字型を形成する一方の棒状部を回動可能に支持する軸受けを備え、他方の棒状部に前記環状部材を遊嵌することを特徴とする請求項１記載の資料保持装置。
【発明の詳細な説明】
【技術分野】
【０００１】
本発明は、ノート型のパーソナルコンピュータ（いわゆる、ノートパソコン）等に、資料を見やすいように設置するための資料保持装置に関する。
【背景技術】
【０００２】
近年のＯＡ化の進展により、大部分の資料はパソコンにより表示できるようになってきている。しかし、複数の資料をパソコンの画面に表示させることは、個々の資料が見にくい場合がある。そこで、使用頻度が高い資料については紙に印刷して書類化し、その書類を、例えば、机上に敷いたデスクマットの下に挟んでおくなど、いつでも早急に資料を確認できるようにすることが、一般に行われている。
【０００３】
ところで、ノートパソコンは、携帯性に優れ、比較的狭い机上であっても使用可能であるという利点を有している。しかし、狭い机上であるほど、資料を置く領域も制限され、整理整頓が困難になる。そこで、従来においては、特許文献１に記載されているように、ノートパソコンの上蓋上部に、接着・装着具を用いてケースを取り付け、書類や筆記具の収納ができるようにすることが提案されている。
【先行技術文献】
【特許文献】
【０００４】
【特許文献１】実用新案登録第３１２３０１８号公報
【発明の概要】
【発明が解決しようとする課題】
【０００５】
しかしながら、従来技術においては、資料としての書類は、ケースから取り出して机上に載置することになるため、書類が机上に散乱していつでも早急に書類を確認できる状態でなくなるおそれがある。
【０００６】
本発明は、このような問題点を解決し、書類の検索を容易にするとともに、書類の整理整頓を実現した資料保持装置を提供することを目的とする。
【課題を解決するための手段】
【０００７】
前記目的を達成するために、本発明は、次に記載する構成を備えている。
【０００８】
（１）本発明の資料保持装置は、書類または書類保持体の側部に形成された孔部に遊嵌する環状部材と、携帯型情報処理装置における画像表示手段を備える筐体の背面に設けられ、前記環状部材を遊嵌した状態で前記書類または書類保持体を回動可能に支持する軸部材とを備えたことを特徴とする。
【０００９】
このような構成により、携帯型情報処理装置における画像表示手段を備える筐体の背面に、書類または書類保持体（例えば、袋体のファイルやケース体）を配置し、必要に応じて、書類または書類保持体を反転させることにより、書類または書類保持体の内容を見ることが可能になる。これにより、書類または書類保持体がまとまって画像表示手段の背後にあるため、書類の検索を容易にすることが可能になり、しかも、携帯型情報処理装置が載置された机上の整理整頓を図ることが可能になる。
【００１０】
（２）（１）の資料保持装置において、前記軸部材は、Ｌ字型の棒状部材からなり、前記棒状部材においてＬ字型を形成する一方の棒状部を回動可能に支持する軸受けを備え、他方の棒状部に前記環状部材を遊嵌することを特徴とする。
【００１１】
このような構成により、Ｌ字型の棒状部材を回動させることによって、書類または書類保持体を、例えば画像表示手段の側方といった別の位置に移動させてから、書類または書類保持体を反転させることが可能になる。このため、書類または書類保持体を反転させる操作が行いやすくなり、その結果、書類の検索を容易にすることが可能になる。
【発明の効果】
【００１２】
本発明によれば、書類の検索を容易にすることが可能になり、しかも、携帯型情報処理装置が載置された机上の整理整頓を図ることが可能になる。
【図面の簡単な説明】
【００１３】
【図１】本発明の資料保持装置を設置したノートパソコンの外観を示す背面側の斜視図である。
【図２】Ｌ字シャフト１１を回動させた状態を示す斜視図である。
【図３】Ｌ字シャフト１１を回動させた状態を示す斜視図である。
【発明を実施するための形態】
【００１４】
以下、本発明の実施形態について、図面を参照しながら詳細に説明する。
【００１５】
図１は本発明の資料保持装置を設置したノートパソコンの外観を示す背面側の斜視図である。ノートパソコン１は、液晶表示装置４（図３参照）を収納する上部筐体２と、キーボード５を収納する下部筐体３とを備えている。上部筐体２の長尺方向（以下、横方向と称する）に対して垂直方向（以下、縦方向と称する）の一方の側部は、下部筐体３の長尺方向に対して垂直方向の側部に、上下方向へ回動可能に設置されている。また、液晶表示装置４（図３参照）は、上部筐体２の一方の面上に外部から視認可能に設置されており、キーボード５は、下部筐体３の一方の面上に外部から操作可能に設置されている。上部筐体２と下部筐体３は、上面視した場合、略同一のサイズであり、上部筐体２を閉じた場合には、液晶表示装置４（図３参照）とキーボード５とは互いに対向しかつ上部筐体２と下部筐体３とが重なり合った状態となる。また、下部筐体３の他方の面が机上への載置面となり、上部筐体２の他方の面（以下、外面と称する）上に資料保持装置１０が設置される。本実施形態においては、ノートパソコン１がＡ４サイズよりひと回り大きいサイズのものとする。
【００１６】
資料保持装置１０は、Ｌ字シャフト１１と、軸受１２、リング１３を備えている。Ｌ字シャフト１１は、上部筐体２の横方向の長さにほぼ等しい第１シャフト部１１ａと、上部筐体２の縦方向の長さにほぼ等しく、第１シャフト部１１ａの一端部から直角方向に延びる第２シャフト部１１ｂとから構成されている。
【００１７】
上部筐体２の横方向の一方の側部に、複数の軸受１２が縦方向に並列配置されている。複数の軸受１２において、最下位置の軸受１２には、第２シャフト部１１ｂの先端部が遊嵌する有底の孔部が形成されており、他の軸受１２に、第２シャフト部１１ｂが遊嵌する貫通した孔部が形成されており、各軸受１２の孔部の軸線は同一軸線上に位置している。そして、第２シャフト部１１ｂを各軸受１２に挿入することによって、第１シャフト部１１ａが各軸受１２の軸線を中心として回動可能にＬ字シャフト１１が、上部筐体２の外面の範囲内に設置される。また、Ｌ字シャフト１１は、Ｌ字によって囲まれる領域が定型Ａ４サイズよりも大きく構成されている。また、第１シャフト部１１ａの他端部には、突起１１ｃが形成されている。
【００１８】
ここで、軸受１２を設置する方法としては、軸受１２を上部筐体２にねじ止め固定しても良いが、この場合は、上部筐体２に加工を施す必要があるため、上部筐体２に加工を施すことなく、軸受１２を設置することが望ましい。例えば、軸受１２に吸盤を設け、この吸盤を上部筐体２に押しつけることによって吸着させることによって設置しても良い。この場合、上部筐体２が粗面である場合には、滑らかな面を有する平板を上部筐体２に貼着し、この平板に吸盤を押しつけるようにしてもよい。また、面ファスナーを用いて軸受１２を設置しても良い。さらには、複数の軸受１２を同一平板に固定しておき、この平板を吸盤あるいは面ファスナーを用いて上部筐体２に固定しても良い。
【００１９】
第１シャフト部１１ａには、リング１３が遊嵌される。これらリング１３は、書類１４の端部に形成した複数の孔部１４ａに遊嵌することによって書類１４を綴じるとともに、書類１４が第１シャフト部１１ａに懸架される。仮に、懸架した書類が定型Ａ４サイズであれば、上部筐体２の外面の範囲内にＬ字シャフト１１および書類１６が収まるようになる。なお、書類１４をリング１３によって綴じる際に、書類１４の側方にラベルを付しておくことにより、書類１４の検索が容易なものとなる。
【００２０】
第１シャフト部１１ａを上部筐体２側に位置付けた場合、突起１１ｃの先端が上部筐体２に当接する。ここで、図示しないが、突起１１ｃの先端及び上部筐体２における突起１１ｃとの対向部位には面ファスナーが貼着されており、突起１１ｃが上部筐体２に付着した状態で維持される。すなわち、この突起１１ｃによって、複数リング１３の移動が規制され、複数リング１３が第１シャフト部１１ａから抜け落ちないようになるとともに、第１シャフト部１１ａと上部筐体２の他方の面との間隔が維持されるようになる。なお、突起１１ｃと上部筐体２とは着脱自在であれば、面ファスナーの代わりに、例えば、粘着部材を用いても、吸盤を用いてもよく、部材を問うものではない。
【００２１】
図２、図３はＬ字シャフト１１を回動させた状態を示す斜視図であり、図２は背面側の斜視図、図３は正面側の斜視図である。書類１４を見るためには、Ｌ字シャフト１１を回動させて、書類１４をノートパソコン１の側部に配置する。そして、所望の書類１４を、第１シャフト部１１ａを軸として上方向に回転させることにより、所望の書類１４を見ることが可能になる。なお、ノートパソコン１の背後にＬ字シャフト１１を回動させるスペースが無い場合には、上部筐体２を若干前方に傾けることにより、Ｌ字シャフト１１を回動させることが可能になる場合がある。あるいは、Ｌ字シャフト１１を一旦軸受１２から取り出し、反転させてからＬ字シャフト１１を一旦軸受１２に設置し直しても良い。
【００２２】
なお、図１に示すように、Ｌ字シャフト１１を回動させない状態であったとしても、ノートパソコン１の上部筐体２を閉じることにより、書類１４をめくって所望の書類を検索することが可能になる。さらには、Ｌ字シャフト１１を上部筐体２から外して、ノートのように書類１４をめくって所望の書類を検索することも可能である。
【００２３】
また、Ｌ字シャフト１１に懸架するものは印刷物である書類１４に限るものではなく、袋体のファイルであってもよい。この場合、ファイルの中に資料となる書類を入れておくことにより、図１に示す状態において、ファイルから書類を横に引き出すことによって、書類を見ることが可能になる。また、書類１４の代わりに、ラベル付きのケース体をＬ字シャフト１１に懸架し、このケース体の内部に書類１４を入れるようにしても良い。これにより、書類１４が保護され、書類１４の痛みが低減し、ラベルがはがれるようなことが防止される。その結果、書類が扱い易い状態に維持され、書類の検索を容易に行うことが可能になる。
【００２４】
以上説明したように構成された本実施形態によれば、書類化された資料がノートパソコン１の近傍にまとまった状態で配置されているため、所望の書類を見つけ出すまでの検索時間を短縮することが可能になる。例えば、外線電話取り次ぎ箇所において、内線電話一覧を資料保持装置１０に取り付けておくことにより、内線電話一覧を探しやすくすることが可能になる。
【００２５】
また、今まで机上に載置しておいた書類を資料保持装置１０に取り付けておくことより、机上の整理整頓に繋がる。
【符号の説明】
【００２６】
１  ノートパソコン
２  上部筐体
３  下部筐体
４  液晶表示装置
５  キーボード
１０  資料保持装置
１１  Ｌ字シャフト
１１ａ  第１シャフト部
１１ｂ  第２シャフト部
１１ｃ  突起
１３  リング
１４  書類
１４ａ  孔部
【図１】
2010198268.tif 000003
【図２】
2010198268.tif 000004
【図３】
2010198268.tif 000005